(57)【要約】【課題】リモコン本体からの信号光を確実に受光することができるリモコン装置及びトイレ設備を提供する。【解決手段】タンクカバー３下部の前面３ａと右側面３ｂとの交差縁部付近に受光窓７が設置され、この裏側には、受光器６と、この受光器６の指向方向を変化させるモータ８とが設置されている。人体検知センサ９が人体を検知すると、モータ８が約９０°の範囲を往復回動する。これにより、リモコン本体１０からの信号光を確実に受光することが可能となる。【選択図】  図１
2004324170.tif 000002
【特許請求の範囲】
【請求項１】
操作スイッチ及び信号光発信手段を有したリモコン本体と、該リモコン本体からの信号光を受光する受光器とを備えたリモコン装置において、
受光器の指向方向を変化させる駆動装置を備えたことを特徴とするリモコン装置。
【請求項２】
請求項１において、該駆動装置は、該受光器を所定範囲内で往復回動させるものであることを特徴とするリモコン装置。
【請求項３】
便器と、
該便器に設けられたケース部材と、
該ケース部材内に設置された電気駆動式の機器と、
該機器を制御するためのリモコン本体と、
該ケース部材に設けられており、該リモコン本体からの信号光を透過させる受光窓と、
該受光窓近傍の該ケース部材内部に配置された受光器と、
を有するトイレ設備において、
受光器の指向方向を変化させる駆動装置を備えたことを特徴とするトイレ設備。
【請求項４】
請求項３において、該駆動装置は、該受光器を所定範囲内で往復回動させるものであることを特徴とするトイレ設備。
【請求項５】
請求項３又は４において、該トイレ設備は人体検知センサを備えており、該人体検知センサが人体を検知しているときに前記駆動装置が駆動されることを特徴とするトイレ設備。
【請求項６】
請求項３において、該受光窓がケース部材の左右の一方の側に設けられ、
前記駆動装置を駆動させるためのスイッチが該ケース部材の左右の他方の側に設けられていることを特徴とするトイレ設備。
【発明の詳細な説明】
【０００１】
【発明の属する技術分野】
本発明は、リモコン装置と、このリモコン装置を備えたトイレ設備とに関するものである。
【０００２】
【従来の技術】
便器に設けられた温水洗浄設備（人体臀部に向って温水を噴出し、臀部を温水で洗浄する設備）の操作や便座、便蓋の開閉操作等を行うために、トイレルームの壁面などにリモコン本体を設置し、該リモコン本体のスイッチ操作により機器を作動させるようにしたトイレ設備は周知である。このリモコン本体からの信号光を確実に受光できるようにするために、特開２００２−２５００６９号公報には、便座ボックスの側面から上面にかけて回り込むように受光窓を設け、上方及び側方のいずれの方向からの信号光をも１個の受光ダイオードで受光できるようにした衛生洗浄装置が記載されている。
【０００３】
また、特開２００２−６１２５５号公報の図１０及び００２２段落には、受光部をタンクカバー側面に指向方向変更可能に設置し、受信状態が良好となる方向に受光部を向けるよう指向方向の調節を手指で行うようにした衛生洗浄装置が記載されている。
【０００４】
【特許文献１】
特開２００２−２５００６９号公報
【特許文献２】
特開２００２−６１２５５号公報
【０００５】
【発明が解決しようとする課題】
上記特開２００２−２５００６９号公報では、同号公報の図３，４から明らかな通り、受光ダイオードは便座ボックス内の基板に固定設置されている。そのため、受光ダイオードを上向きに設置したときには、側方向からの信号光を受光しにくくなり、受光ダイオードを横向きに設置したときには上方向からの信号光を受光しにくくなる。
【０００６】
上記特開２００２−６１２５５号公報では、トイレ設備の施工業者や使用者が指先で受光部を操作してその向きを調節することになるが、この調節作業時には人体の腕や手が受光部の近くに存在することになり、実際の便器使用時の身体配置状況（例えば人体が便座に座ってリモコンを操作しているとき）とは全く異なる。このため、受光部の向きを適切方向とするように調節することが難しい。即ち、受光部の向きを調節する作業者の腕等に当った信号光が受光部に入射するため、この人体の腕等の反射光が受光信号光の外乱要素となり、この状態で受光部の向きを調節しても実際の便器使用時には信号光が十分に受光部に達しないことがある。
【０００７】
本発明は、上記従来の種々の問題点を解決し、リモコン本体からの信号光を確実に受光することができるリモコン装置及びトイレ設備を提供することを目的とする。
【０００８】
【課題を解決するための手段】
本発明のリモコン装置は、操作スイッチ及び信号光発信手段を有したリモコン本体と、該リモコン本体からの信号光を受光する受光器とを備えたリモコン装置において、受光器の指向方向を変化させる駆動装置を備えたことを特徴とするものである。
【０００９】
また、本発明のトイレ設備は、便器と、該便器に設けられたケース部材と、該ケース部材内に設置された電気駆動式の機器と、該機器を制御するためのリモコン本体と、該ケース部材に設けられており、該リモコン本体からの信号光を透過させる受光窓と、該受光窓近傍の該ケース部材内部に配置された受光器と、を有するトイレ設備において、受光器の指向方向を変化させる駆動装置を備えたことを特徴とするものである。このケース部材としては、タンクカバーや便座ボックスが例示される。
【００１０】
かかるリモコン装置及びトイレ設備にあっては、受光器の指向方向を駆動装置によって変化させることにより、受光器の方向をリモコン本体位置に合わせて適切なものとすることができる。特に、本発明では、受光器を所定範囲内で往復回動させるよう構成した場合には、受光器の向き調節操作は一切不要となる。
【００１１】
本発明のトイレ設備にあっては、人体検知センサによって人体が検知されるときに駆動装置を駆動させるようにしてもよい。このようにすれば、トイレ使用されていないときには駆動装置を停止させて節電や、駆動装置の損耗防止を図ることができる。
【００１２】
なお、本発明のトイレ設備では、受光窓がケース部材の左右の一方の側に設けられ、前記駆動装置を駆動させるためのスイッチが該ケース部材の左右の他方の側に設けられている構成としてもよい。この場合は、該スイッチを操作して受光器の向きを調節する。この調節を行うには、例えば人が便座に座り、腕を後方に伸ばしてスイッチ操作し、リモコン本体からの信号が受光器で十分に受光されるようになったならば、駆動装置を停止させる。この態様にあっては、腕を受光窓とは反対側に伸ばすので、伸ばした腕が受光信号光の外乱要素となることがない。
【００１３】
【発明の実施の形態】
以下、図面を参照して実施の形態について説明する。図１は実施の形態に係るリモコン装置及びトイレ設備を備えたトイレ室内の斜視図、図２はリモコン本体の正面図、図３は図１の受光窓付近の水平断面図、図４は図３のＩＶ−ＩＶ線に沿う断面図である。
【００１４】
トイレ室１内に設置された洋風便器２の後部上面には、タンクカバー３が設置されており、タンクカバー３の前側の凸部３Ａには、便座４及び便蓋５が上下方向に回動可能に取り付けられている。なお、タンクカバー３は省略されてもよい。また、タンクカバー３の代わりに便座ボックスが設置されてもよい。
【００１５】
タンクカバー３下部の前面３ａと右側面３ｂとの交差縁部付近には、前面から該右側面にわたり赤外線透過性の受光窓７が設置されている。図３，４に示す通り、この受光窓７の裏側には、受光器６と、この受光器６の指向方向を変化させる駆動装置としてのモータ８とが備えられている。このモータ８は、タンクカバー３内の底面３ｃに設置されているが、この設置位置はこれに限定されない。
【００１６】
モータ８は、回転軸８ａを鉛直方向として設置されている。この回転軸８ａに小ターンテーブル８ｔが固着され、この小ターンテーブル８ｔに受光器６が取り付けられている。従って、モータ８が回転駆動されることにより、受光器６は水平に旋回する。
【００１７】
なお、本実施の形態では、受光器６は、タンクカバー３の右側面３ｂと対面する横向き位置（図３の位置）から、タンクカバー３の前面３ａと対面する前向き位置までの約９０°の範囲内で往復回動するように構成されているが、往復回動の範囲は９０°未満でもよく、９０°より大きくしてもよい。
【００１８】
タンクカバー３の上部には、トイレ室１内に入室した人体を検知する人体検知センサ９が設けられている。なお、人体検知センサ９はこれ以外の部位に設置されてもよい。
【００１９】
図示は省略するが、タンクカバー３内には洗浄ノズルを備えた温水洗浄装置、乾燥ファンを備えた温風乾燥装置、脱臭装置、便座・便蓋回動装置等が設置されている。
【００２０】
また、タンクカバー３内には、受光器６が受光した信号に応じて温水洗浄装置、温風乾燥装置等を制御する温水洗浄装置用制御回路のほか、人体検知センサ９が人体を検知しているときにモータ８を駆動するモータ制御回路が設置されている。
【００２１】
便座４の裏面に取り付けられたゴム足には、圧電素子等の感圧素子が装備されている。この感圧素子は、トイレ使用者の着座を検知する着座センサとして機能する。
【００２２】
トイレ室１の壁面にはリモコン本体１０が取り付けられている。このリモコン本体１０には、温水洗浄装置を作動させるシャワースイッチ１１及びビデスイッチ１２、温風乾燥装置を作動させる乾燥スイッチ１３、温水洗浄装置又は温風乾燥装置の作動を停止させる停止スイッチ１４、温水洗浄装置の洗浄強さを調節する洗浄強さ調節摘み１５のほか、図示は省略するが、便座開閉スイッチ、便器をフラッシュ洗浄するための大用フラッシュスイッチ、小用フラッシュスイッチ等が設けられている。また、このリモコン本体１０には、設定されている温水洗浄装置の洗浄強さや時刻等を表示する液晶画面１６が設けられている。リモコン本体１０には、スイッチ１１〜１４、摘み１５の操作信号である赤外線信号光を受光器６へ向けて発信する信号光発信回路が設けられている。
【００２３】
このように構成されたリモコン装置及びトイレ設備の作動内容について以下に説明する。
【００２４】
トイレ使用者がトイレ室１に入室すると、人体検知センサ９によって検知され、便蓋５が開く。また、この人体検知信号に基づき、モータ制御回路はモータ８を連続的に往復回動させる。これに伴い、受光器６が約９０°の範囲を水平方向に往復回動する。
【００２５】
なお、受光器６が約９０°の範囲を１往復するのに要する時間は２〜３秒程度であることが好ましい。
【００２６】
トイレ使用者がリモコン本体１０のスイッチ１１ないし１４、あるいは摘み１５を操作すると、リモコン本体１０から信号光が発信する。
【００２７】
このリモコン本体１０からの信号光は、直接、又はトイレ室１の壁面やタンクカバー３等に反射された後に、受光窓７を透過し、受光器６によって受信される。この受信された操作信号により、温水洗浄装置、温風乾燥装置等の作動、作動停止、洗浄強さ調節、あるいは便座開閉等が行われる。
【００２８】
トイレ使用者がトイレ室１から退室すると、モータ８が停止する。
【００２９】
このように、この実施の形態によると、受光器６が約９０°の範囲内を連続して往復回動するため、リモコン本体１０からの信号光が受光窓７に対し種々の方向から入射する場合であっても、受光器６は確実に信号光を受光することができる。
【００３０】
特に、この実施の形態にあっては、人体検知センサ９によって人体が検知されているときだけモータ８を駆動させるようにしているため、節電や、モータ８の損耗防止を図ることができる。
【００３１】
なお、この実施の形態では、便座、便蓋を電動式としているため、人体検知センサ９の人体検知時に受光器６を往復回動させるようにしているが、着座センサが着座を検知しているときだけ受光器６を往復回動させるよう構成してもよい。
【００３２】
上記実施の形態では、受光器６を連続的に往復回動させてリモコン本体１０からの信号光を受光させるようにしているが、本発明では、モータ８を受光器６の指向方向の調節のために用いるようにしてもよい。
【００３３】
例えば、モータ８を作動させるためのスイッチを設け、このスイッチを操作することにより受光器６の向きを調節するように構成してもよい。
【００３４】
この調節用のスイッチは、受光窓７を設けたサイドと反対サイド（図１の場合は左サイド）の側面に設けられてもよい。この場合は、人が便座４に座り、左腕を後方に伸ばしてスイッチ操作し、リモコン本体からの信号を受光器が受光する位置となったならば、駆動装置８を停止させる。この態様にあっては、腕を受光窓７とは反対側に伸ばすので、伸ばした左腕が受光信号光の外乱要素となることがない。
【００３５】
なお、上記のようにスイッチ操作によってモータ８を駆動させて受光器６の指向方向を調節する場合、１回のスイッチ操作によってモータが所定の小角度（例えば約５°）だけ回動するよう構成するのが好ましい。この場合、１回調節用スイッチ操作を行った後、例えばスイッチ１３を操作してみて温風が吹き出すかどうかチェックし、これを繰り返すことにより、受光器６の向きを信号光入射方向に合致させることができる。
【００３６】
上記実施の形態では、受光器１５は水平方向に往復回動するよう構成されているが、上下方向や斜め方向（水平方向と上下方向の中間の方向）に往復回動するよう構成されてもよい。
【００３７】
上記実施の形態では、受光窓７をロータンクカバー３下部の側面と前面との交差縁部付近に設けたが、ロータンクカバー３のその他の外周面に設けてもよく、また、便座ボックスや、便座ボックスの側方から張り出した張出部に設けてもよい。この場合においても、受光器６はこの受光窓７の裏側に設けられる。
【００３８】
【発明の効果】
以上の通り、本発明によると、リモコン本体からの信号光を確実に受光することができるリモコン装置及びトイレ設備が提供される。
【図面の簡単な説明】
【図１】実施の形態に係るリモコン装置及びトイレ設備を備えたトイレ室内の斜視図である。
【図２】リモコン本体の正面図である。
【図３】図１の受光窓付近の水平断面図である。
【図４】図３のＩＶ−ＩＶ線に沿う断面図である。
【符号の説明】
１  トイレ室
２  洋風便器
３  タンクカバー
３ａ  前面
３ｂ  右側面
３ｃ  底面
４  便座
５  便蓋
６  受光器
７  受光窓
８  モータ
９  人体検知センサ
１０  リモコン本体
【図１】
2004324170.tif 000003
【図２】
2004324170.tif 000004
【図３】
2004324170.tif 000005
【図４】
2004324170.tif 000006